(57)【要約】  【課題】冷蔵庫等の庫内温度を制御する除霜用押釦等を有したサーモスタットにおいて、除霜解除時の動作復帰温度の安定化を図る。  【解決手段】スイッチ２７を動作せしめるＬ字型のレバー２４と、カム３３の貫通孔に挿通するデフピン３８と、Ｌ字型のレバー２４と接触可能なアームを設けた回動自在に軸支されたデフレバー３７と、デフピン３８の端部をデフレバー３７の端面と対向するように係合させた配置において、スイッチ２７のデフレバー３７と対向する端面部にバネ性を有した弾性体３９をデフレバー３７と当接可能なように設けたものであり、デフレバー３７がデフピンを押し上げる際に過大な摺動摩擦力が発生することはなく、作動による摩擦力に影響されずに復帰オン温度の変化、バラツキを抑制することができ、冷蔵庫の除霜を確実に実現することができる。【選択図】図１
2006066195.tif 000002
【特許請求の範囲】
【請求項１】
底部及び対向する２つの側面からなる略コの字状器枠と、庫内温度変化を感知して伸縮するベローズと、前記ベローズに下端が当接し他端にはスイッチを動作せしめるＬ字型のレバーと、貫通孔を有するカムの回動により傾きが変化する調整レバーと、前記Ｌ字型のレバーと前記調整レバーを連結しベローズの変化に対抗するスプリングと、前記調整レバーに一端が係止され他端には回動自在に係止されたローラー体を保持する調整プレートと、前記調整レバーと前記調整プレートの間隔を可変可能とする調節ネジと、前記カムの貫通孔に挿通し上下動自在なデフピンと、一端部を回動できるように軸支され他端部には前記ローラー体と当接可能な斜面を有する爪部と、前記Ｌ字型のレバーと接触可能なアームを設けたデフレバーを配置し、前記デフピンの端部を前記デフレバーの端面と対向するように係合させたサーモスタットにおいて、前記スイッチの前記デフレバーと対向する端面部にバネ性を有した弾性体を前記デフレバーと当接可能に設けたことを特徴とするサーモスタット。
【請求項２】
前記弾性体は、一端を前記デフレバーと当接可能なように角度をつけ、他端にはスイッチ端面部に形成された突起部と熱固着可能なように前記スイッチ端面部の突起部が挿入可能な孔を設けたことを特徴とする請求項１に記載のサーモスタット。
【請求項３】
前記スイッチ端面部の突起部近傍に前記弾性体の一端と当接可能なリブを設けたことを特徴とする請求項１または２に記載のサーモスタット。
【請求項４】
前記スイッチ端面部上の前記弾性体の一端が設置される面にスロープを設けたことを特徴とする請求項１に記載のサーモスタット。
【請求項５】
前記弾性体の材質を前記スイッチ端面部と同一の樹脂体とし一体成形加工したことを特徴とする請求項１に記載のサーモスタット。
【発明の詳細な説明】
【技術分野】
【０００１】
本発明は、冷蔵庫等に使用される、除霜作動用押釦等の除霜機能をそなえたサーモスタットに関するものである。
【背景技術】
【０００２】
従来、この種のサーモスタットは押釦を操作することによって、冷却用コンプレッサーの回路を制御して冷蔵庫の冷却器に付着した霜を除去する機能を有している（例えば、特許文献１参照）。
【０００３】
図７、図８は、特許文献１に記載された従来のサーモスタットを示すものである。
【０００４】
図７、図８に示すように、コ字形の箱体からなる器枠１にレバー２の一端部２ａを回動できるように軸支し、他端部を開閉ばね３に係合させ、レバー２の中間部に設けたばね受け４に一端側をおさめた圧縮ばね５をベローズ６に相対させて設置し、レバー２の先端部側に接点（可動接点７、固定接点８）開閉用のアーム９を設け、圧縮ばね５の他端部を、一端部１０ａを回動できるように軸支し、他端部を貫通孔１１ａを有する偏位用カム１１のカム面に接触させた調整レバー１０に受けさせ、一方、一端部１２ａを回動できるように軸支し、他端部にレバーに接触可能なように当て部１２ｂを設けたデフレバー１２を配置し、デフレバー１２の端部にデフレバー１２を反転させる線ばね１３の一端を係合させ、カム１１のばね受け部１４と押釦１５との間に復帰ばね１６を設けるとともに、カム１１に押釦１５を取付けたデフピン１７を挿入し、調整レバー１０に調整板１８を連結し、調整板１８の先端をデフピン１７と対向するようにデフレバー１２に接触する位置に配置されるように構成したものである。
【０００５】
以上のように構成されたサーモスタットについて、以下その動作について説明する。
【０００６】
まず、感温部の温度が上昇すると、キャピラリーチューブ（図示せず）内のガスの圧力が上昇し、ベローズ６を膨張させる。それにより圧縮ばね５の力に抗してばね受け４が押し上げられるとともに、レバー２は開閉ばね３の力の作用により矢印方向に回動し、ストッパ（図示せず）に当たって制止させられる。したがって、アーム９は接点板（図示せず）から離脱し、可動接点７が固定接点８に接着し、オン回路が形成される。感温部の温度が下がると、ベローズ６は収縮し、圧縮ばね５の力によりばね受け４が下降すると共に、開閉ばね３の加速的力の減少により、レバー２は反矢印方向に回動する。それとともにアーム９が下降し、接点板（図示せず）に当たってこれを押し下げ、図示のように可動接点７を固定接点８から開離させる。すなわち、オフ回路が形成される。この時、レバー２はストッパ（図示せず）により制止させられる。
【０００７】
以上がサーモスタットの一般的な、温度による作用であるが、次に押釦の操作による作用を説明する。押釦１５を復帰ばね１６の力に抗して押し下げれば、デフピン１７は下降し、それにともないデフレバー１２が下降し、さらにデフピン１７が下降することにより、デフレバー１２は線ばね１３の反転作用により下方に回動し、デフレバー１２の当て部１２ｂがレバー２に接触し、強制的にレバー２を下降回動させ、接点７と接点８を開離させオフ回路が形成される。押釦１５の押圧を解けば、復帰ばね１６の作用により押釦１５、デフピン１７は元の位置に戻る。
【０００８】
一方、押釦１５の操作により、オフになっている接点７、接点８は次のように閉じられる。
【０００９】
すなわち、初期温度より高い温度になった時、線ばね１３の力に抗してレバー２は上方に回動し始め、開閉ばね３及び線ばね１３の下方向の加速度的力の減少により、レバー２が急速反転をし、接点７、接点８を閉じ、オン回路を形成するとともにデフレバー１２はレバー２で押し戻され、線ばね１３の作用により元の位置に戻る。
【特許文献１】実公昭５７−６０２９号公報
【発明の開示】
【発明が解決しようとする課題】
【００１０】
しかしながら、上記従来の構成では、押釦１５、カム１１の貫通孔１１ａ、復帰ばね１６の寸法バラツキ、表面状態等、すなわち押釦１５の外壁面とカム１１の貫通孔１１ａの内壁との寸法精度と表面状態による摩擦力、またはカム１１の貫通孔１１ａの内壁と復帰ばね１６の外径部の寸法精度と表面状態による摩擦力が過大となると、押釦１５を押した後、押圧を解いても復帰ばね１６が機能せず、デフピン１７と押釦１５が元の位置に戻らないとともに、オフになっている接点７、接点８が高温になってオンする際、つまりデフレバー１２がデフピン１７を押し上げる際に、上述した過大な摺動摩擦力がデフレバー１２の反転力を妨げると同時に、レバー２の反転力を妨げる方向に働くことにより、接点７、接点８がオフからオンに復帰する温度が摩擦力に影響される、すなわち復帰温度がばらつく可能性があるという課題を有していた。
【００１１】
本発明は、上記従来の課題を解決するもので、押釦等を押して除霜をおこなった後の復帰オン温度を動作バラツキの少ない安定したものとし、冷蔵庫の除霜を確実に実現する品質の安定したサーモスタットを提供することを目的とする。
【課題を解決するための手段】
【００１２】
上記従来の課題を解決するために、本発明のサーモスタットは、スイッチを動作せしめるＬ字型のレバーと、カムの貫通孔に挿通するデフピンと、Ｌ字型のレバーと接触可能なアームを設けた回動自在に軸支されたデフレバーと、デフピンの端部をデフレバーの端面と対向するように係合させた配置において、スイッチのデフレバーと対向する端面部にバネ性を有した弾性体をデフレバーと当接可能なように設けたものであり、デフピン押し動作前時は弾性体により、デフレバーを回動させるとともにデフピンを上方向に押し上げることにより常に安定したデフピン位置が保たれ、デフピン押時は摺動摩擦個所がカム内壁とデフピンのみとなるため、デフレバーがデフピンを押し上げる際に過大な摺動摩擦力が発生することはなく、デフレバーの反転力は妨げられることは少ない、すなわち、デフピン押時及び復帰時の作動による摩擦力に影響されずに、復帰オン温度の変化、バラツキを抑制することができる。
【発明の効果】
【００１３】
本発明のサーモスタットは、デフピン押時及び復帰時にデフレバーがデフピンを押し上げる際に過大な摺動摩擦力が発生することがなく、スムーズなデフレバー反転動作が可能となり動作バラツキの少ない安定した復帰オン温度を実現することができ、冷蔵庫の除霜を確実に実現することとなる。
【発明を実施するための最良の形態】
【００１４】
請求項１に記載の発明は、底部及び対向する２つの側面からなる略コの字状器枠と、庫内温度変化を感知して伸縮するベローズと、前記ベローズに下端が当接し他端にはスイッチを動作せしめるＬ字型のレバーと、貫通孔を有するカムの回動により傾きが変化する調整レバーと、前記Ｌ字型のレバーと前記調整レバーを連結しベローズの変化に対抗するスプリングと、前記調整レバーに一端が係止され他端には回動自在に係止されたローラー体を保持する調整プレートと、前記調整レバーと前記調整プレートの間隔を可変可能とする調節ネジと、前記カムの貫通孔に挿通し上下動自在なデフピンと、一端部を回動できるように軸支され他端部には前記ローラー体と当接可能な斜面を有する爪部と、前記Ｌ字型のレバーと接触可能なアームを設けたデフレバーを配置し、前記デフピンの端部を前記デフレバーの端面と対向するように係合させたサーモスタットにおいて、前記スイッチの前記デフレバーと対向する端面部にバネ性を有した弾性体を前記デフレバーと当接可能に設けたことにより、デフピン押し動作前時は前記弾性体によりデフレバーを回動させるとともにデフピンを上方向に押し上げることにより安定したデフピン位置が保たれ、デフピン押し時はデフレバーがデフピンを押し上げる際に過大な摺動摩擦力が発生することなく、デフレバーの反転力を妨げる方向に働くことが少ないため、デフピン押時及び復帰時の作動による摩擦力に影響されずに、復帰オン温度の変化、バラツキを抑制することができる。
【００１５】
請求項２に記載の発明は、請求項１に記載の発明のサーモスタットにおいて、前記弾性体は、一端を前記デフレバーと当接可能なように角度をつけ、他端にはスイッチ端面部に形成された突起部と熱固着可能なように前記スイッチ端面部の突起部が挿入可能な孔を設けたことにより、前記弾性体が確実にスイッチ端面部に固定され、かつ確実に前記弾性体と前記デフレバーが当接することを可能にしたことにより、デフレバー作動時の動作バラツキの少ない安定した復帰オン温度を実現することができる。
【００１６】
請求項３に記載の発明は、請求項１または２に記載の発明のサーモスタットにおいて、前記スイッチ端面部の突起部近傍に前記弾性体の一端と当接可能なリブを設けたことにより、前記弾性体をスイッチ端面部に位置ずれ等なく確実に前記デフレバーの当接ポイントにて当接することができるため、安定したデフピン位置を常時確保することができる。
【００１７】
請求項４に記載の発明は、請求項１に記載の発明のサーモスタットにおいて、前記スイッチ端面部上の前記弾性体の一端が設置される面にスロープを設けたことにより、前記弾性体に角度付けを行うことなくデフレバーとの当接が可能となり、また弾性体自体の角度バラツキも考慮する必要がないため、確実にデフレバーとの当接が可能となり、安定したデフピン位置を常時確保することができる。
【００１８】
請求項５に記載の発明は、請求項１に記載の発明のサーモスタットにおいて、前記弾性体の材質を前記スイッチ端面部と同一の樹脂体とし一体成形加工したことにより、部品点数、組み込み工数の少ないものにすることができる。
【００１９】
以下、本発明の実施の形態について、図面を参照しながら説明するが、従来例または、先に説明した実施の形態と同一構成については同一符号を付して、その詳細な説明は省略する。なお、この実施の形態によってこの発明が限定されるものではない。
【００２０】
（実施の形態１）
図１は、本発明の実施の形態１におけるサーモスタットのデフピン押し前状態を示す正面断面図である。図２は、同実施の形態のサーモスタットのデフピン押時状態を示す正面断面図である。図３は、同実施の形態のサーモスタットの弾性体を固着させた状態を示すスイッチの斜視図である。図４は、同実施の形態のサーモスタットのずれ防止用リブを設けた状態を示すスイッチの斜視図である。図５は、同実施の形態のサーモスタットのスイッチ端面部にスロープを設けた状態を示すスイッチの側面図である。図６は、同実施の形態のサーモスタットの弾性体を一体化成形させた状態を示すスイッチの斜視図である。
【００２１】
図１から図６に示すように、２１は器枠、２２は庫内温度を検知して伸縮するベローズで、ベローズ２２にはキャピラリーチューブ２３が接続される。
【００２２】
２４は支点２４ａにより回動自在に設けられたＬ字型のレバーであり、Ｌ字型のレバー２４の下端部２４ｂはベローズ２２の自由端２２ａに当接し、他端部２４ｃには固定接点２５と可動接点２６を開閉させるスイッチ２７のスイッチング動作をさせるスペーサ２８が係合している。さらに、一端部２４ｄには温度設定用スプリング２９の一端が係止される。
【００２３】
温度設定用スプリング２９の他端は調整ネジ３０を介して調整レバー３１に係止され、調整レバー３１は下部の支点３１ａにより、器枠２１に回動自在に設けられ、その上端は貫通孔３２を有する温度設定用のカム３３に圧接する。３４は一端が調整レバー３１に係止され、他端には回動自在に係止されたローラー体３５を保持する調整プレートであり、調整プレート３４は、調整レバー３１と調整プレート３４の間隔を可変可能とする調節ネジ３６を保持している。
【００２４】
また、３７は支点３７ａにより回動自在に設けられたデフレバーであり、カム３３の貫通孔３２に挿通し、上下動自在にデフピン３８と係合し、一端にはローラー体３５と当接可能な斜面体を有する爪部３７ｂを、他端には調整レバー３１と接触可能なアーム３７ｃを設け、スイッチ２７の端面部２７ａに設けられたバネ性を有する弾性体３９と当接可能なＬ字曲げ部３７ｄを有する構成となっている。
【００２５】
なお、図４に示すように、スイッチ２７の端面部２７ａには、突起部２７ｃとリブ２７ｄを有しており、突起部２７ｃが挿入可能な孔３９ａを弾性体３９に設けるとともに、リブ２７ｄは弾性体の一端と当接可能なように設けられている。
【００２６】
さらに、図５に示すように、スイッチ２７の端面部２７ａ上の弾性体３９の一端が設置される面にはスロープ２７ｅが設けられている。
【００２７】
さらに、図６に示すように、樹脂弾性体３９ｂは、弾性体３９の材質をスイッチ２７の端面部２７ａと同一の材質で一体成形加工されたものである。
【００２８】
以上のように構成されたサーモスタットについて、以下その動作を説明する。
【００２９】
まず、感温部の温度が上昇すると、キャピラリーチューブ２３内のガス圧が上昇し、ベローズ２２を膨張させる。それによりＬ字型のレバー２４は支点２４ａを軸として矢印Ａ方向に回動し、調整ネジ３０で設定されたスプリング２９の弾性力（設定温度に対応する）と対抗し、感温部が設定温度を越えた時は、スペーサ２８を介してスイッチ２７が動作し、固定接点２５と可動接点２６がオンとなり、電源回路に通電する。
【００３０】
次に、感温部の温度が低下すると、ベローズ２２は収縮し、Ｌ字型のレバー２４はスプリング２９の弾性力で、支点２４ａを軸として矢印Ａ方向と反対方向に回動し、同時にスペーサ２８による押圧が減少しスイッチ２７が動作して固定接点２５と可動接点２６がオフとなり、電源回路の通電が切られる。
【００３１】
以上がサーモスタットの一般的な温度による作用であるが、次にデフピン３８の操作による作用を説明する。デフピン押し動作前時は、弾性体３９により、デフレバー３７を矢印Ｂ方向に回動させるとともにデフピン３８を上方向に押し上げることによりデフピン３８の位置を常時安定した状態に保つようにしている。そこで、スイッチ２７がオン状態の時にデフピン３８を押すことにより、スプリング２９の力に抗してデフレバー３７が支点３７ａを中心に矢印Ｂ方向に円弧運動を行い、さらにデフレバー３７のアーム３７ｃでＬ字型のレバー２４を押すことで、Ｌ字型のレバー２４の支点２４ａを中心に反時計方向へ円弧運動を行うため、スペーサ２８を介してスイッチ２７はオフ状態となる。
【００３２】
この時、デフレバー３７の斜面を有した爪部３７ｂは、調整レバー３１に取付けられた調整プレート３４に保持されているローラー体３５とラッチされ、押されたままの位置でオフ状態を保っている。
【００３３】
また、弾性体３９はデフレバー３７の矢印Ｂと反対方向の回動によりスイッチ２７側へ押圧された状態で保持される。
【００３４】
一方、スイッチ２７がオフ状態からオン状態に変化する時には、スイッチ２７はオフ状態であるから感温部の温度上昇によりベローズ２２が膨張し、これによりＬ字型のレバー２４は支点２４ａを中心として矢印Ａ方向に円弧運動を行う。この時、デフレバー３７のアーム３７ｃがＬ字型のレバー２４によって上方向に押されることになりデフレバー３７は矢印Ｂ方向に円弧運動し、スプリング２９の抗力以上の力がラッチ部に加わるとラッチが外れてデフピン３８は元の位置に戻るとともに、Ｌ字型のレバー２４の回動によりスペーサ２８を介してスイッチ２７はオン状態となる。なお、この時弾性体３９はデフピン３８押し動作前時に記載した同じ動作をおこない、再び常時安定したデフピン３８位置を保つようになる。
【００３５】
以上のように、本実施の形態においては、底部及び対向する２つの側面からなる略コの字状器枠２１と、庫内温度変化を感知して伸縮するベローズ２２と、ベローズ２２に下端が当接し他端にはスイッチ２７を動作せしめるＬ字型のレバー２４と、貫通孔を有するカムの回動により傾きが変化する調整レバー３１と、Ｌ字型のレバー２４と調整レバー３１を連結しベローズ２２の変化に対抗するスプリング２９と、調整レバー３１に一端が係止され他端には回動自在に係止されたローラー体３５を保持する調整プレート３４と、調整レバー３１と調整プレート３４の間隔を可変可能とする調節ネジ３６と、カムの貫通孔３２に挿通し上下動自在なデフピン３８と、一端部を回動できるように軸支し他端部には、ローラー体３５と当接可能な斜面を有する爪部３７ｂと、Ｌ字型のレバー２４と接触可能なアーム３７ｃを設けたデフレバー３７を配置し、デフピン３８の端部をデフレバー３７の端面と対向するように係合させたサーモスタットにおいて、スイッチ２７のデフレバー３７と対向する端面部２７ａにバネ性を有した弾性体３９をデフレバー３７と当接可能なように設けた構成であり、デフピン押し動作前時は弾性体３９によりデフレバー３７を回動させるとともにデフピン３８を押し上げ安定したデフピン位置が保たれ、デフピン３８押時は摩擦箇所がカム内壁とデフピン３８のみであり、デフレバー３７がデフピン３８を押し上げる際に過大な摺動摩擦力が発生することはなく、デフレバー３７の反転力を妨げる方向に働くことは少ない、すなわち作動による摩擦力に影響されずに復帰オン温度の変化、バラツキを抑制することができ、温度変動の少ない安定した除霜復帰温度を実現する品質的に優れたサーモスタットを提供することができる。
【００３６】
また、本実施の形態では、弾性体３９は、一端をデフレバー３７と当接可能なように角度をつけ、他端にはスイッチ端面部２７ａに形成された突起部２７ｃと熱固着可能なようにスイッチ端面部の突起部２７ｃが挿入可能な孔を設けたことにより、弾性体３９が確実に固定され、かつ確実に弾性体３９とデフレバー３７が当接することを可能にするため、安定した復帰オン温度を実現することができる。
【００３７】
さらに、本実施の形態では、スイッチ端面部の突起部２７ｃ近傍に弾性体３９の一端と当接可能なリブ２７ｄを設けたことにより、弾性体３９をスイッチ端面部２７ａに位置ずれ等なく確実にデフレバー３７の当接ポイントにて当接することができるため、安定したデフピン位置を常時確保することができるとともに動作バラツキの少ない安定した復帰オン温度を実現することができる。
【００３８】
また、本実施の形態では、スイッチ端面部２７ａ上の弾性体３９の一端が設置される面にスロープ２７ｅを設けたことにより、弾性体３９に角度付けを行うことなくデフレバー３７との当接が可能となり、また弾性体３９自体の角度バラツキも考慮する必要がないため、確実にデフレバー３７との当接が可能となり、安定したデフピン位置を確保することができるとともに、動作バラツキの少ない安定した復帰オン温度を実現することができる。
【００３９】
なお、本実施の形態では、弾性体３９の材質をスイッチ端面部２７ａと同一の樹脂体とし一体成形加工したことにより、部品点数、組み込み工数の少ないものにすることができるとともに動作バラツキの少ない安定した復帰オン温度を実現することができる。
【産業上の利用可能性】
【００４０】
以上のように、本発明にかかるサーモスタットは、デフピン押時及び復帰時にデフレバーがデフピンを押し上げる際に過大な摺動摩擦力が発生することがなく、スムーズなデフレバー反転動作が可能となり動作バラツキの少ない安定した復帰オン温度を実現することができ、冷蔵庫、保冷庫等の用途にも適用できる。
【図面の簡単な説明】
【００４１】
【図１】本発明の実施の形態１におけるサーモスタットのデフピン押し前状態を示す正面断面図
【図２】同実施の形態のサーモスタットのデフピン押時状態を示す正面断面図
【図３】同実施の形態のサーモスタットの弾性体を固着させた状態を示すスイッチの斜視図
【図４】同実施の形態のサーモスタットのずれ防止用リブを設けた状態を示すスイッチの斜視図
【図５】同実施の形態のサーモスタットのスイッチ端面部にスロープを設けた状態を示すスイッチの側面図
【図６】同実施の形態のサーモスタットの弾性体を一体化成形させた状態を示すスイッチの斜視図
【図７】従来のサーモスタットの正面断面図
【図８】従来のサーモスタットのカム部の部分拡大断面図
【符号の説明】
【００４２】
２１  器枠
２２  ベローズ
２４  Ｌ字型のレバー
２７  スイッチ
２７ａ  スイッチ端面部
２７ｃ  スイッチ端面部の突起部
２７ｄ  スイッチ端面部のリブ
２７ｅ  スイッチ端面部のスロープ
２９  スプリング
３１  調整レバー
３２  カムの貫通孔
３３  カム
３４  調整プレート
３５  ローラー体
３６  調節ネジ
３７  デフレバー
３７ａ  デフレバーの支点
３７ｂ  デフレバーの爪部
３７ｃ  デフレバーのアーム
３８  デフピン
３９  弾性体
３９ａ  弾性体の孔
３９ｂ  樹脂弾性体
【図１】
2006066195.tif 000003
【図２】
2006066195.tif 000004
【図３】
2006066195.tif 000005
【図４】
2006066195.tif 000006
【図５】
2006066195.tif 000007
【図６】
2006066195.tif 000008
【図７】
2006066195.tif 000009
【図８】
2006066195.tif 000010